(57)【要約】【課題】システムの簡素化及び低価格化を図った上で、ネット送り局から送られるデータ放送ＴＳをテレビジョン放送ＴＳに連動させた送出レートで送出し得るデジタル放送信号送出装置を提供する。【解決手段】ネット受け局の多重部２２におけるネット送り局からのテレビジョン放送ＴＳ及びデータ放送ＴＳの多重送出処理の実行に先立ち、レート抽出部２７によりデータ放送ＴＳを取り込んで入力ＥＳレートを求めると共に、ＶＢＲ生成部２８にてＥＳレートからテレビジョン放送ＴＳとデータ放送ＴＳとの比率を求めて多重部２２に対するＶＢＲの送出処理を実行するようにしている。【選択図】      図２
2008167073.tif 000002
【特許請求の範囲】
【請求項１】
ネット送り局から送られるテレビジョン放送ＴＳ(Transport Stream)及びデータ放送ＴＳを受信し所定の放送サービスエリアに送出するネット受け局に適用され、多重部にてテレビジョン放送ＴＳを所定の放送帯域中の少なくとも一部の帯域に相当する送出レートで、前記データ放送ＴＳを前記テレビジョン放送ＴＳに割り当てられない残りの帯域に相当する送出レートで多重し送出するデジタル放送信号送出装置において、
前記多重部に入力すべく前記データ放送ＴＳを取り込み、ＥＳ（Elementary Stream）ごとの送出レートを求めるレート演算手段と、
このレート演算手段により求められたＥＳごとの送出レートに基づいて、前記テレビジョン放送ＴＳと前記データ放送ＴＳとの送出レートの比率を求め、この比率に基づいて前記多重部にて送出される前記データ放送ＴＳの送出レートを生成する制御手段とを具備したことを特徴とするデジタル放送信号送出装置。
【請求項２】
ネット送り局から送られるテレビジョン放送ＴＳ(Transport Stream)及びデータ放送ＴＳを受信し所定の放送サービスエリアに送出するネット受け局に適用され、多重部にてテレビジョン放送ＴＳを所定の放送帯域中の少なくとも一部の帯域に相当する送出レートで、前記データ放送ＴＳを前記テレビジョン放送ＴＳに割り当てられない残りの帯域に相当する送出レートで多重し送出するデジタル放送信号送出方法において、
前記多重部に入力すべく前記データ放送ＴＳを取り込み、ＥＳ（Elementary Stream）ごとの送出レートを求め、
ＥＳごとの送出レートに基づいて、前記テレビジョン放送ＴＳと前記データ放送ＴＳとの送出レートの比率を求め、この比率に基づいて前記多重部にて送出される前記データ放送ＴＳの送出レートを生成するようにしたことを特徴とするデジタル放送信号送出方法。
【発明の詳細な説明】
【技術分野】
【０００１】
この発明は、例えばネット送り局及びネット受け局を番組ネット回線により結ぶネット受信放送システムのネット受け局に用いられ、デジタルテレビジョン放送の付加サービスとして提供されるデータ放送のＴＳ（Transport Stream）を送出するためのデジタル放送信号送出装置及びデジタル放送信号送出方法に関する。
【背景技術】
【０００２】
地上波のデジタル放送にあっては、例えば東京の放送局となるネット送り局及び地方の放送局となるネット受け局を番組ネット回線により結ぶネット受信放送システムが構築されている。このネット受け局では、番組ネット回線で受信した放送信号を特定の放送サービスエリアに向けて送信している。
【０００３】
また、上記デジタル放送の放送局では、テレビジョン放送に加えて、文字放送等のデータ放送も行っている。データ放送では、各種の情報番組を放送しており、その中にはテレビジョン放送番組に連動した情報や、またテレビジョン放送番組とは独立した情報等を提供している。
【０００４】
ところで、上記放送局では、多重化出力レート、つまり放送波の帯域幅が予め固定されているため、データ放送ＴＳを多重化出力レートからテレビジョン放送番組の映像及び音声ＴＳの伝送レートを差し引いたレートで出力しなければならない。また、データ放送ＴＳの伝送レートも放送規格に準拠させる必要があるため、番組や映像シーンに応じて映像ＴＳ及び音声ＴＳの伝送レートが急激に下がった場合でも、放送規格に準拠させた伝送レートでデータ放送ＴＳを送出する送出装置も提案されている（例えば、特許文献１）。
【特許文献１】特開２００４−１１２３２５号公報
【発明の開示】
【発明が解決しようとする課題】
【０００５】
ところで、地上波デジタル放送では、携帯端末向けのデジタル放送（１セグメント放送）も開始されている。この１セグメント放送では、固定受信機向けのデジタル放送よりも低い出力ビットレートで、放送局から受信機へＴＳを伝送している。このため、１セグメント放送にあっては、映像ＴＳ及び音声ＴＳの伝送レートが急激に下がった場合に、最大限の伝送レートでデータ放送ＴＳを送出することが強く望まれている。
【０００６】
しかしながら、上記ネット受信放送システムでは、番組ネット回線とは別に、データ放送ＴＳの伝送レートを制御するために必要な制御情報をネット送り局とネット受け局との間で伝送するための制御回線を敷く必要があり、さらに各局に伝送レートを制御するための制御装置を設置する必要があり、設備拡張の面で多大なコストがかかる。
【０００７】
そこで、この発明の目的は、システムの簡素化及び低価格化を図った上で、ネット送り局から送られるデータ放送ＴＳをテレビジョン放送ＴＳに連動させた送出レートで送出し得るデジタル放送信号送出装置及びデジタル放送信号送出方法を提供することにある。
【課題を解決するための手段】
【０００８】
上記目的を達成するために、この発明に係るデジタル放送信号送出装置は、ネット送り局から送られるテレビジョン放送ＴＳ(Transport Stream)及びデータ放送ＴＳを受信し所定の放送サービスエリアに送出するネット受け局に適用され、多重部にてテレビジョン放送ＴＳを所定の放送帯域中の少なくとも一部の帯域に相当する送出レートで、データ放送ＴＳをテレビジョン放送ＴＳに割り当てられない残りの帯域に相当する送出レートで多重し送出するデジタル放送信号送出装置において、多重部に入力すべくデータ放送ＴＳを取り込み、ＥＳ（Elementary Stream）ごとの送出レートを求めるレート演算手段と、このレート演算手段により求められたＥＳごとの送出レートに基づいて、テレビジョン放送ＴＳとデータ放送ＴＳとの送出レートの比率を求め、この比率に基づいて多重部にて送出されるデータ放送ＴＳの送出レートを生成する制御手段とを備えるようにしたものである。
【０００９】
この構成によれば、ネット受け局において、ネット送り局から送られるテレビジョン放送ＴＳ及びデータ放送ＴＳの多重送出処理の実行に先立ち、データ放送ＴＳを取り込んでＥＳごとの送出レートを求めると共に、これら送出レートからテレビジョン放送ＴＳとデータ放送ＴＳとの送出レートの比率を求めて多重部におけるデータ放送ＴＳの送出レートの生成が実行されることになる。
【００１０】
従って、ネット送り局とネット受け局との間でテレビジョン放送ＴＳに連動したデータ放送ＴＳのレート制御情報を伝送するための制御情報通信路を不要にすることができ、その分ネット送り局とネット受け局との間を接続する回線を減らしてシステムの配線構造を簡素化できる。また、テレビジョン放送ＴＳに連動したデータ放送ＴＳのレート制御を実行するための専用の制御装置を不要にすることができ、その分システムの簡素化及び低価格化を図ることができる。
【発明の効果】
【００１１】
以上詳述したようにこの発明によれば、システムの簡素化及び低価格化を図った上で、ネット送り局から送られるデータ放送ＴＳをテレビジョン放送ＴＳに連動させた送出レートで送出し得るデジタル放送信号送出装置及びデジタル放送信号送出方法を提供することができる。
【発明を実施するための最良の形態】
【００１２】
以下、この発明の実施形態について図面を参照して詳細に説明する。
【００１３】
図１は、この発明のデジタル放送信号送出装置が適用されるネット受信放送の概略構成図である。  
図１において、符号１０はネット送り局、符号２０はネット受け局を示している。ネット送り局１０は、デジタル放送信号（以下、ＴＳと称する）をアンテナ１１から自局が属する放送サービスエリアに向けて送出する。また、ネット送り局１０には、番組ネット回線ＮＷを介してネット受け局２０が接続される。ネット受け局２０は、ネット送り局１０から番組ネット回線ＮＷを介して伝送されたＴＳと自局のＴＳとを切り替えて、このＴＳをアンテナ２１から自局が属する放送サービスエリアに向けて送出する。
【００１４】
図２は、この発明の一実施形態として上記ネット受け局２０で使用されるデジタル放送信号送出装置の要部構成を示すブロック図である。  
図２において、符号２２は多重部である。なお、ここでは説明を簡単にするため、多重部２２の入力チャンネル（系統）数を４チャンネルとし、出力チャンネルを１チャンネルとする。
【００１５】
この実施形態では、多重部２２の第１及び第２入力チャンネルに番組ネット回線ＮＷからのテレビジョン放送ＴＳ（Ｖｉｄｅｏ）を入力する入力端子２３，２４を接続し、第３入力チャンネルにテレビジョン放送ＴＳに付随するＴＳ（ＳＩ(Service Information)／ＥＰＧ(Electronic Program Guide)）を入力する入力端子２５を接続し、第４入力チャンネルにテレビジョン放送ＴＳに連動したデータ放送ＴＳを入力する入力端子２６を接続する。
【００１６】
ところで、この実施形態では、レート抽出部２７と、ＶＢＲ（Variable Bit rate）生成部２８とを備えている。レート抽出部２７は、入力端子２６に入力されるデータ放送ＴＳを取り込み解析し、各入力ＥＳ（Elementary Stream）レートを抽出する。
【００１７】
ＶＢＲ生成部２８は、各入力ＥＳレートからＥＳ毎の比率を算出し、算出したＥＳ毎の比率にしたがってＶＢＲを生成して多重部２２に送出する。
【００１８】
次に、上記構成における運用について説明する。  
データ放送ＴＳのＶＢＲを実現するためには、送出するＥＳ毎のPacket ID（PID）、最大レート、送出比率が必要である。Packet IDはシステムで一意に決めることが可能である。最大レートは、デジタル放送規格で規定されている。一方、送出比率は、イベントに応じた多彩な変化が求められている。
【００１９】
例えば、天気予報のみを表示しているイベントでは、各ＥＳごとにテレビジョン放送とデータ放送とが同じ比率で送られるが、ＣＭ（Commercial Message）などを表示するイベントが含まれる場合は、限られた時間内で送出する必要があるため、図３に示すように、ＣＭを送出するＥＳの比率を上げる必要がある。
【００２０】
従来では、イベントに連動した各ＥＳの比率の制御が必要であり、マスタシステムと繋がった制御装置の開発を行っていた。
【００２１】
そこで、本発明では、レート抽出部２７にてネット送り局１０から送られるデータ放送ＴＳを取り込んで各入力ＥＳレートを抽出し（ステップＳＴ４ａ）、ＶＢＲ生成部２８にて各ＥＳレートからＥＳ毎のテレビジョン放送とデータ放送との比率を算出し（ステップＳＴ４ｂ）、このＥＳ毎の比率に従ってＶＢＲを生成して多重部２２に送出する（ステップＳＴ４ｃ）。
【００２２】
これにより、制御装置が不要となり、システムの簡素化、低価格化の実現が可能である。
【００２３】
以上のように上記実施形態では、ネット受け局２０の多重部２２におけるネット送り局１０からのテレビジョン放送ＴＳ及びデータ放送ＴＳの多重送出処理の実行に先立ち、レート抽出部２７によりデータ放送ＴＳを取り込んで入力ＥＳレートを求めると共に、ＶＢＲ生成部２８にてＥＳレートからテレビジョン放送ＴＳとデータ放送ＴＳとの比率を求めて多重部２２に対するＶＢＲの送出処理を実行するようにしている。
【００２４】
従って、ネット送り局１０とネット受け局２０との間でテレビジョン放送ＴＳに連動したデータ放送ＴＳのＶＢＲ制御情報を伝送するための制御情報通信路を不要にすることができ、その分ネット送り局１０とネット受け局２０との間を接続する回線を減らしてシステムの配線構造を簡素化できる。また、テレビジョン放送ＴＳに連動したデータ放送ＴＳのレート制御を実行するための専用の制御装置を不要にすることができ、その分システムの簡素化及び低価格化を図ることができる。
【００２５】
尚、本発明は上記実施形態に限定されるものではなく、種々の変更が可能である。例えば、上記実施形態では、ＴＳ受信系統を４系統としたが、さらに系統数を増加しても同様に実施可能である。また、レート抽出部２７及びＶＢＲ生成部２８を多重部２２におけるソフトウェア処理でも実現できる。
【図面の簡単な説明】
【００２６】
【図１】この発明のデジタル放送信号送出装置が適用されるネット受信放送の概略構成図。
【図２】この発明の一実施形態として上記ネット受け局で使用されるデジタル放送信号送出装置の要部構成を示すブロック図。
【図３】放送帯域で割り当てられるテレビジョン放送とデータ放送との割り当て比率をイベントごとに説明するために示す図。
【図４】同実施形態において、デジタル放送信号送出装置で実行される制御処理手順を示すフローチャート。
【符号の説明】
【００２７】
１０…ネット送り局、１１，２１…アンテナ、２０…ネット受け局、２２…多重部、２３，２４，２５，２６…入力端子、２７…レート抽出部、２８…ＶＢＲ生成部、ＮＷ…番組ネット回線。
【図１】
2008167073.tif 000003
【図２】
2008167073.tif 000004
【図３】
2008167073.tif 000005
【図４】
2008167073.tif 000006